(57)【要約】【課題】不燃性能を向上させた手摺笠木の提供を目的とする。【解決手段】不燃材料により形成され、切欠状の取付凹部１を備えた笠木本体２と、  不燃材料により形成され、投光用開口３において開放される開断面形状を有するハウジング４の内壁面に発光体５を保持するとともに、前記投光用開口３をガラス製蓋体６により閉塞してなり、前記ハウジング４を前記取付凹部１内に収容、固定される照明ユニット７とを有する。【選択図】  図３
2019123994.tif 000002
【特許請求の範囲】
【請求項１】
不燃材料により形成され、切欠状の取付凹部を備えた笠木本体と、
不燃材料により形成され、投光用開口において開放される開断面形状を有するハウジングの内壁面に発光体を保持するとともに、前記投光用開口をガラス製蓋体により閉塞してなり、前記ハウジングを前記取付凹部内に収容、固定される照明ユニットと、
を有する手摺笠木。
【請求項２】
前記取付凹部にはユニット係止部材が固定されるとともに、
前記照明ユニットは、前記ユニット係止部材に弾発係止されて笠木本体に固定される請求項１記載の手摺笠木。
【請求項３】
前記ガラス製蓋体の裏面に光拡散板を固定した請求項１または２記載の手摺笠木。
【請求項４】
前記ハウジングには、前記取付凹部の開放端内壁に接近して取付凹部の開放端縁を閉塞する閉塞壁部が形成されるとともに、
前記ハウジングの外壁には、前記発光体に給電する給電用配線を係止、保持する配線保持凹部が設けられる請求項１、２または３記載の手摺笠木。
【請求項５】
前記発光体は、光軸が取付凹部に対して傾斜する姿勢で前記ガラス製蓋体から適宜間隔離隔した位置に配置される請求項１から４のいずれかに記載の手摺笠木。
【請求項６】
通路側方の適宜高さに配置される金属製の下段笠木と、
前記下段笠木の上方に、該下段笠木に沿って配置される前記請求項１から５のいずれかに記載の手摺笠木からなる上段笠木とを有し、
前記上段笠木のハウジングには発光体からの照射光を下段笠木を含まず、かつ、通路中央部側に偏った照射領域にガイドするガイド壁が設けられる手摺装置。
【発明の詳細な説明】
【技術分野】
【０００１】
本発明は手摺笠木に関するものである。
【背景技術】
【０００２】
発光体を収容した手摺笠木としては特許文献１に記載のものが知られている。この従来例において、手摺笠木は笠木本体に形成される凹部内に光源となる発光ダイオードを配置し、凹部の開口を、凹部壁面に固定されて発光ダイオードを保持するＬＥＤユニット支持部材と、光透過性部材により閉塞して形成される。
【先行技術文献】
【特許文献】
【０００３】
【特許文献１】実用新案登録第３２０２８４９号公報
【発明の概要】
【発明が解決しようとする課題】
【０００４】
しかし、上述した従来例において、複雑な形状を有する光透過部材は合成樹脂材により形成されるために、燃えやすいという問題がある。
【０００５】
本発明は、以上の欠点を解消すべくなされたものであって、不燃性能を向上させた手摺笠木の提供を目的とする。
【課題を解決するための手段】
【０００６】
本発明によれば上記目的は、
不燃材料により形成され、切欠状の取付凹部１を備えた笠木本体２と、
不燃材料により形成され、投光用開口３において開放される開断面形状を有するハウジング４の内壁面に発光体５を保持するとともに、前記投光用開口３をガラス製蓋体６により閉塞してなり、前記ハウジング４を前記取付凹部１内に収容、固定される照明ユニット７と、
を有する手摺笠木を提供することにより達成される。
【０００７】
本発明において、手摺笠木は金属等の不燃材料により形成される笠木本体２と、照明ユニット７とを有する。
【０００８】
照明ユニット７は、金属材料等の不燃性材料により形成されるハウジング４に発光体５を保持し、該発光体５からの発光を外部に投光するための投光用開口３部をガラス製蓋体６により閉塞して形成され、適宜手段により笠木本体２の取付凹部１に固定される。
【０００９】
不燃性材料により形成されるハウジング４内に発光体５を保持するとともに、ハウジング４に形成された投光用開口３をガラス製蓋体６により閉塞して照明ユニット７を構成する本発明において、笠木本体２、および笠木本体２内の発光体５が配置される空間の不燃性能が保証されるために、手摺笠木を伝った延焼を確実に防止することができる。
【００１０】
また、照明ユニット７は予めユニット化されているために、手摺笠木本体２に固定するだけで手摺設置が完了するために、設置作業性が向上する。
【００１１】
また、
前記取付凹部１にはユニット係止部材８が固定されるとともに、
前記照明ユニット７は、前記ユニット係止部材８に弾発係止されて笠木本体２に固定される手摺笠木を構成した場合には、組立作業性を向上させることができる。
【００１２】
さらに、発光体５を所定間隔で配置した場合、発光体５により照らさせる床面等は、発光体５の光軸上で最も明るくなり、隣接する発光体５の光軸間が最も暗くなるために、照明領域の連続性が感じられなくなる虞があるが、前記ガラス製蓋体６の裏面に光拡散板９を固定した手摺笠木を構成した場合には、各発光体５からの照射光が散乱されて照明領域での光量の均一化を図ることができる。
【００１３】
とりわけ、発光体５が複数のＬＥＤを所定間隔で配置したＬＥＤユニットを使用する場合には、ＬＥＤユニット上の単位ＬＥＤに対応して高輝度、高光量のスポットが床面上に表示されることを防ぎ、光量の均一化、光の連続性を高めることができる。
【００１４】
また、上記目的を達成するための他の手段として、
前記ハウジング４には、前記取付凹部１の開放端内壁に接近して取付凹部１の開放端縁を閉塞する閉塞壁部１０が形成されるとともに、
前記ハウジング４の外壁には、前記発光体５に給電する給電用配線１１を係止する配線保持凹部１２が設けられる手摺笠木を構成することができる。
【００１５】
本発明において、ハウジング４には取付凹部１の開放端を実質的に閉塞する閉塞壁部１０が形成され、取付凹部１内は手摺笠木外部から実質的に遮断される。給電用配線１１が配索される取付凹部１を実質的に外部から閉塞することにより給電用配線１１への延焼を確実に防止することができる。
【００１６】
ここでハウジング４の閉塞壁部１０による実質的な閉塞とは、取付凹部１の開口端に当接して完全に取付凹部１内を閉塞する以外に、取付凹部１の開口端に適宜のクリアランスが設定されて接近する状態も含まれる。
【００１７】
また、給電用配線１１をハウジング４の外壁に形成した配線保持凹部１２に係止、保持させることにより、給電用配線１１が発光体５の照射領域に進入して影を発生させることもなく、さらに、配線作業性も向上する。
【００１８】
さらに、上記目的を達成するための他の手段として、
前記発光体５は、光軸が取付凹部１に対して傾斜する姿勢で前記ガラス製蓋体６から適宜間隔離隔した位置に配置される手摺笠木を構成することができる。
【００１９】
また、以上の手摺笠木を使用して、
通路側方の適宜高さに配置される金属製の下段笠木１３と、
前記下段笠木１３の上方に、該下段笠木１３に沿って配置される前記手摺笠木からなる上段笠木１４とを有し、
前記上段笠木１４のハウジング４には発光体５からの照射光を下段笠木１３を含まず、かつ、通路中央部側に偏った照射領域にガイドするガイド壁１５が設けられる手摺装置を構成することができる。
【００２０】
本発明において、手摺装置は、上下段笠木１３を並設して形成されており、上段笠木１４を不燃性材料により形成し、さらに、下段笠木１３は金属材料により形成されて不燃性が確保される。
【００２１】
上段笠木１４を発光させ、その下方に位置する下段笠木１３を不燃性を考慮して金属材料により形成した場合、下段笠木１３に上段笠木１４からの照射光が当たり、眩しさを感じるが、上段笠木１４のハウジング４に、発光体５からの照射領域を下段笠木１３を含まず、かつ、通路中央部側に偏った照射領域にガイドするガイド壁１５を設ける本発明において、下段笠木１３への発光体５からの直接照射が防がれるために、眩しさを感じることがなくなる。
【図面の簡単な説明】
【００２２】
【図１】本発明の手摺装置を示す断面図である。
【図２】図１のブラケット連結部の断面図である。
【図３】本発明の手摺笠木を示す図で、（ａ）は断面図、（ｂ）は照明ユニットの分解図、（ｃ）は手摺笠木の分解図である。
【図４】手摺笠木の分解斜視図である。
【図５】ＬＥＤユニットと給電用配線との接続状態を示す説明図である。
【発明を実施するための形態】
【００２３】
図１、２に本発明の手摺笠木を使用した手摺装置を示す。本例の手摺装置は、設置基部１６としての壁面に沿って上下２段の笠木を配置した壁手摺として形成される。
【００２４】
なお、本例において上下段の笠木１３、１４は各々ブラケット１７を介して壁面１６に固定されているが、同一のブラケットに上下段笠木１３、１４を固定することも可能である。また、支柱に設けられたブラケットを介して手摺笠木が設けられるようにすることも可能である。
【００２５】
図２に示すように、ブラケット１７は、側面視Ｌ字形状に折曲したパイプ体であり、壁面１６に打ち込まれたアンカー１８にビス１８ａ等を使用して固定される。ブラケット１７の上端には支持座部材１９が圧入、あるいは止着子を使用して連結され、この支持座部材１９上に上下段笠木１３、１４が固定される。
【００２６】
手摺装置全体の不燃性を高めるために、ブラケット１７、および上下段笠木１３、１４は金属材料により形成され、下段笠木１３は、円筒形の中空パイプ形状に形成される。
【００２７】
上段笠木１４は、図３以下に示すように、ステンレス製の長尺の笠木本体２と、笠木本体２に形成される取付凹部１に固定される照明ユニット７とを有する。
【００２８】
取付凹部１は、設置基部１６への取付状態を基準として下方に向けて切欠状に凹設されて上記ブラケット１７への連結部として利用され、図２に示すように、ブラケット１７への固定は、取付凹部１内に嵌合される連結ピース２０を介して上記支持座部材１９と取付凹部１の天井壁とをボルト２１により連結して行われる。
【００２９】
一方、照明ユニット７は、アルミニウム製の押出形材によりレール状に形成されるハウジング４と、発光体５としてのＬＥＤユニットとを有する。
【００３０】
図３、４、５に示すように、ＬＥＤユニット５は、フレキシブルプリント基板等の実装基板５ａ上に所定間隔で複数のＬＥＤ５ｂを実装して形成され、全体が透明の保護チューブ５ｃにより覆われている。また、ＬＥＤユニット５の実装基板５ａには、商用電源に接続される給電用配線１１にスプライス端子等により分岐される分岐配線が結線され、駆動電力が供給される。
【００３１】
ハウジング４は、図３に示すように、最奥部に配置される発光体保持片４ａから適宜間隔を隔てた位置に長手方向に連続する投光用開口３が開設されており、発光体保持片４ａと投光用開口３の側縁との間に一対のガイド壁１５が配置される。
【００３２】
上記ＬＥＤユニットは、上記発光体保持片４ａに接着等の適宜手段により固定され、発光体保持片４ａは、ＬＥＤの光軸（ＯＡ）（投射光量が最大となる軸）が笠木本体２の取付凹部１の開放方向、すなわち、鉛直下方方向に対して所定角度（θ）傾くように設定される。
【００３３】
さらに、上記ガイド壁１５は、発光体５からの照射光の光軸（ＯＡ）回りの最大光量範囲の照射範囲が、図１に示すように、下段笠木１３を避け、通路側を照射領域とするように設定される。この結果、下段笠木１３への大光量による照射を避けることができるために、下段笠木１３からの反射光による眩しさを低減させることができる上に、通路を明るく照らすことができ、加えて、背の低い歩行者に発光体５からの照射光が直接当てられることを防ぐことができる。
【００３４】
また、上記投光用開口３は、照明ユニット７を取付凹部１に固定した状態で取付凹部１の開放端縁位置にほぼ位置し、上面に光拡散板９が貼り付けられたガラス製蓋体６により閉塞される。ガラス製蓋体６を保持するために、ハウジング４のガイド壁１５下端には内向きフランジ４ｂが突設される。光拡散板９はＬＥＤユニット５の各ＬＥＤ５ｂからの発光光を散乱させることにより、床面上にＬＥＤ５ｂに対応する高輝度スポットが発生するのを防止する。
【００３５】
投光用開口３が不燃性を有するガラス製蓋体６により閉塞されることにより、発光体保持壁４ａ、ガイド壁１５、およびガラス製蓋体６により囲まれるユニット内領域は外部から遮断された状態となり、ＬＥＤユニット５への延焼が確実に防止され、さらに、合成樹脂等により形成される光拡散板９をガラス製蓋体６により保護することにより全体の不燃性能を高めることができる。
【００３６】
さらに、ハウジング４のガイド壁１５の下端には外方に向けてフランジ状に突出する閉塞壁部１０が形成される。閉塞壁部１０は先端縁が取付凹部１の開放端縁の内壁面に接近することにより取付凹部１の内部で、ハウジング４のユニット内領域外の領域を手摺笠木の外部空間から実質的に遮断し、該領域、正確にはガイド壁１５の外壁部に形成された配線保持凹部１２に上述したＬＥＤユニット５に給電するための給電用配線１１が係止、保持されて布線される。
【００３７】
給電用配線１１をＬＥＤ５ｂからの発光光が通過するユニット内領域外に布線することにより、給電用配線１１による影が発生することを防止することができる上に、配線保持凹部１２を設けることにより、後述するように、照明ユニット７を装着する際の給電用配線１１の噛み込み等を効果的に防止することができる。
【００３８】
以上のように構成される照明ユニット７の笠木本体２への装着は、予め取付凹部１の天井壁にビス８ａを使用して固定されたユニット係止部材８の弾性係止片８ｂにハウジング４の係止爪４ｃを弾発係止して行われる。本例におけるユニット係止部材８は、取付凹部１内が外部空間から隔離されていること、さらには、高い弾性変形能を有していることを考慮して合成樹脂材により形成される。
【００３９】
上記照明ユニット７は、笠木本体２とほぼ同一の長手寸法を有しており、図５に示すように、各ＬＥＤユニット５への給電は、笠木本体２の連結用継ぎ手２２による連結部において行われる。
【符号の説明】
【００４０】
１        取付凹部
２        笠木本体
３        投光用開口
４        ハウジング
５        発光体
６        ガラス製蓋体
７        照明ユニット
８        ユニット係止部材
９        光拡散板
１０      閉塞壁部
１１      給電用配線
１２      配線保持凹部
１３      下段笠木
１４      上段笠木
１５      ガイド壁
【図１】
2019123994.tif 000003
【図２】
2019123994.tif 000004
【図３】
2019123994.tif 000005
【図４】
2019123994.tif 000006
【図５】
2019123994.tif 000007